(57)【特許請求の範囲】
【請求項１】
外部から導入された水を通す給湯側通水路と、給湯側バーナと、前記給湯側通水路を通る水に前記給湯側バーナで生じた熱を伝達して湯を沸かす給湯側熱交換器とを有する給湯側回路と、
一端側及び他端側が浴槽内に連通するとともに前記浴槽から出た水を通過させて前記浴槽内に戻す経路として構成される循環路と、風呂側バーナと、前記循環路を通る水に前記風呂側バーナで生じた熱を伝達する風呂側熱交換器とを有する風呂側回路と、
前記給湯側回路の前記給湯側通水路から前記風呂側回路の前記循環路へと湯を通す経路となる連通路と、
前記浴槽内の水温を検出する浴槽水温検出部と、
前記浴槽に所定量の湯を張る湯張り指示及び設定温度の入力に少なくとも用いられる１又は複数の操作部と、音声を発する音声出力部とを有するリモートコントローラと、
前記リモートコントローラとの通信と、前記給湯側回路及び前記風呂側回路に対する制御とを少なくとも行う構成をなし、前記リモートコントローラの前記操作部によって前記湯張り指示が入力された場合に、前記浴槽内に前記所定量の湯が貯まるように前記給湯側回路を動作させ、少なくとも前記浴槽内に前記所定量の湯が貯まった後に前記浴槽内の湯を前記循環路で循環させつつ前記風呂側熱交換器によって加熱するように前記風呂側回路を動作させ、前記設定温度となった場合に前記風呂側回路の動作を停止させる湯張り制御部と、
前記設定温度未満の湯が前記浴槽内に前記所定量貯まった場合において前記風呂側回路の動作によって前記浴槽内の水温が前記設定温度になる前に前記リモートコントローラの前記音声出力部に第１の報知を行わせ、前記浴槽内の水温が前記設定温度となった場合に前記音声出力部に第２の報知を行わせる報知制御部と、
を備える風呂給湯システム。
【請求項２】
前記第１の報知は、湯張り完了の時期の到来を知らせる音声報知であり、前記第２の報知は、湯張りが完了したことを知らせる音声報知である請求項１に記載の風呂給湯システム。
【請求項３】
前記浴槽内の残水量を検出する残水量検出部を備え、
前記湯張り制御部は、前記リモートコントローラの前記操作部によって前記湯張り指示が入力された場合において前記残水量検出部によって前記浴槽内の残水が検出された場合、前記残水量検出部で検出された前記浴槽内の残水量と前記所定量とに基づいて不足湯量を算出し、且つ前記不足湯量の湯を前記給湯側回路から前記浴槽へと供給するように前記給湯側回路を動作させ、少なくとも前記浴槽内に前記不足湯量の湯が補充された後に前記浴槽内の湯を前記循環路で循環させつつ前記風呂側熱交換器によって加熱するように前記風呂側回路を動作させ、
前記報知制御部は、前記浴槽内に前記不足湯量の湯が補充された場合に前記第１の報知を行う請求項１又は請求項２に記載の風呂給湯システム。
【発明の詳細な説明】
【技術分野】
【０００１】
本発明は、風呂給湯システムに関するものである。
【背景技術】
【０００２】
従来、リモートコントローラに設けられた湯張りボタンが押された場合に、給湯装置から浴槽内に所定量のお湯を供給して浴槽内を設定温度のお湯で満たし、入浴可能な状態にする機能（所謂湯張り機能）を搭載した風呂給湯システムが実用に供されている。このような湯張り機能を備えた風呂給湯システムとして予告報知を行うシステムも提案されている。例えば特許文献１のシステムは、前回の実際の湯張り所要時間に基づいて、今回の湯張り完了までに要する時間を算出し、湯張りの残時間が所定時間（あと５分）になると、「あと５分で入浴できます」といった音声ガイドを行う。
【先行技術文献】
【特許文献】
【０００３】
【特許文献１】特開２０００−１４６２９０号公報
【発明の概要】
【発明が解決しようとする課題】
【０００４】
特許文献１で開示される技術は、前回の湯張り開始から完了までに要した時間に基づいて今回の湯張り完了時点を予測し、これに基づいて予告のタイミングを決定するものである。しかし、この方法で予告のタイミングを決定すると、想定している基本条件から変化した場合（例えば、湯張りが行われている最中に台所等で湯が使われ、湯張り用の湯の水圧が低まった場合や、湯張り開始前に浴槽内に湯が残っていた場合等）に、予告報知から湯張り完了までの実際の時間間隔が、予告報知で伝える時間間隔とずれてしまい、使用者に違和感を与えるという問題がある。特に、給湯回路で沸かし上げた湯を湯張りに必要な量だけ浴槽に落とし込み、循環回路で浴槽内の湯を循環加熱することで設定温度まで上昇させる湯張り方式の場合、湯張り開始前の段階で浴槽内に水が存在する場合と、水が存在しない場合とでその水が循環加熱の際にどの程度温度上昇に影響するかは、存在する水の量や浴槽のサイズなどによって大きく変わり得る。つまり、このような湯張り方式のものに特許文献１の技術を適用してしまうと、湯張り開始から湯張り完了までに要する時間のばらつきが大きくなり、予告報知から湯張り完了までの実際の時間間隔が想定している時間間隔から大きくずれやすいため、正確な予告が難しいという問題がある。
【０００５】
本発明は、上述した課題を解決するためになされたものであり、先になされた報知から、後になされる報知までの時間間隔が大きくばらつきにくく、湯張りの進行状況をより正確に伝えることが可能な風呂給湯システムを提供することを目的とするものである。
【課題を解決するための手段】
【０００６】
本発明の給湯システムは、
外部から導入された水を通す給湯側通水路と、給湯側バーナと、前記給湯側通水路を通る水に前記給湯側バーナで生じた熱を伝達して湯を沸かす給湯側熱交換器とを有する給湯側回路と、
一端側及び他端側が浴槽内に連通するとともに前記浴槽から出た水を通過させて前記浴槽内に戻す経路として構成される循環路と、風呂側バーナと、前記循環路を通る水に前記風呂側バーナで生じた熱を伝達する風呂側熱交換器とを有する風呂側回路と、
前記給湯側回路の前記給湯側通水路から前記風呂側回路の前記循環路へと湯を通す経路となる連通路と、
前記浴槽内の水温を検出する浴槽水温検出部と、
前記浴槽に所定量の湯を張る湯張り指示及び設定温度の入力に少なくとも用いられる１又は複数の操作部と、音声を発する音声出力部とを有するリモートコントローラと、
前記リモートコントローラとの通信と、前記給湯側回路及び前記風呂側回路に対する制御とを少なくとも行う構成をなし、前記リモートコントローラの前記操作部によって前記湯張り指示が入力された場合に、前記浴槽内に前記所定量の湯が貯まるように前記給湯側回路を動作させ、少なくとも前記浴槽内に前記所定量の湯が貯まった後に前記浴槽内の湯を前記循環路で循環させつつ前記風呂側熱交換器によって加熱するように前記風呂側回路を動作させ、前記設定温度となった場合に前記風呂側回路の動作を停止させる湯張り制御部と、
前記設定温度未満の湯が前記浴槽内に前記所定量貯まった場合において前記風呂側回路の動作によって前記浴槽内の水温が前記設定温度になる前に前記リモートコントローラの前記音声出力部に第１の報知を行わせ、前記浴槽内の水温が前記設定温度となった場合に前記音声出力部に第２の報知を行わせる報知制御部と、
を備える。
【０００７】
本発明において、報知制御部は、設定温度未満の湯が浴槽内に所定量貯まった場合にリモートコントローラの音声出力部に第１の報知を行わせ、浴槽内の水温が設定温度となった場合に音声出力部に第２の報知を行わせる。この構成によれば、第１の報知により、設定温度未満の湯が浴槽内に所定量貯まったことを使用者に正確に認識させることができ、使用者は、この第１の報知により、湯張りが最終段階（所定量の湯が貯まり、設定温度まで沸かし上げている段階）にあることを正確に把握することができる。その後、浴槽内の水温が設定温度となったときには第２の報知がなされるため、使用者は、湯張りの完了についても正確に把握することができる。特に、第１の報知と第２の報知との間の時間間隔は、所定量の湯が循環加熱によって設定温度に到達するまでの時間間隔であるため、先になされた報知から、後になされる報知までの時間間隔が大きくばらつきにくく、湯張りの進行状況をより正確に伝えることが可能な風呂給湯システムとなる。
【０００８】
本発明において、第１の報知は、湯張り完了の時期の到来を知らせる音声報知であってもよく、第２の報知は、湯張りが完了したことを知らせる音声報知であってもよい。
【０００９】
このように、湯張りの完了時期の到来を知らせる音声報知によって第１の報知を行えば、使用者がリモートコントローラから離れた距離にいる場合であっても、湯張りの完了時期が到来すること（湯張りが最終段階にあること）を、音声によってより正確に且つより確実に認識しやすくなる。そして、湯張りが完了についても、音声によって確実に認識することができる。特に、浴槽内に所定量貯まった状態（湯張り完了時期に近づいた状態）と、その後に設定温度まで到達した状態（湯張り完了状態）とを、使用者が誤認識しにくくなり、使用者に湯張りの進行状況をより一層正確に伝えることが可能となる。
【００１０】
本発明は、浴槽内の残水量を検出する残水量検出部を備えていてもよい。そして、湯張り制御部は、リモートコントローラの操作部によって湯張り指示が入力された場合において残水量検出部によって浴槽内の残水が検出された場合、残水量検出部で検出された浴槽内の残水量と所定量とに基づいて不足湯量を算出し、且つ不足湯量の湯を給湯側回路から浴槽へと供給するように給湯側回路を動作させ、少なくとも浴槽内に不足湯量の湯が補充された後に浴槽内の湯を循環路で循環させつつ風呂側熱交換器によって加熱するように風呂側回路を動作させる構成であってもよい。そして、報知制御部は、浴槽内に不足湯量の湯が補充された場合に第１の報知を行う構成であってもよい。
【００１１】
このように、残水量検出部によって浴槽内の残水量を検出し、検出された浴槽内の「残水量」と目標とする「所定量」とに基づいて不足湯量を算出した上で、不足湯量の湯を給湯側回路から浴槽へと供給するように給湯側回路を動作させる構成とすれば、浴槽内に残水が存在する場合でも浴槽内に湯が所定量貯まったことをより正確に把握しやすくなる。つまり、浴槽内に残水が存在する場合であっても、浴槽内に所定量の湯が貯まった時期から大きくずれることなく第１の報知を正確に行うことができ、先になされる第１の報知から、後になされる第２の報知までの時間間隔が大きくばらつきにくくなる。
【図面の簡単な説明】
【００１２】
【図１】図１は、実施例１に係る風呂給湯システムを例示する概略回路図である。
【図２】図２は、実施例１に係る風呂給湯システムを構成するコントローラ及びリモートコントローラを概略的に例示するブロック図である。
【図３】図３は、実施例１に係る風呂給湯システムの第１リモートコントローラにおいてカバーが開いた状態を概略的に示す正面図である。
【図４】図４は、実施例１の風呂給湯システムで行われる自動湯張り制御の流れを例示するフローチャートである。
【発明を実施するための形態】
【００１３】
＜実施例１＞
以下、発明の一例を示す実施例１について、図面を参照して説明する。
（基本構成）
図１で示す給湯システム１は、浴槽への給湯機能と浴槽内の水の加熱機能とを備えた風呂・給湯システムとして構成され、主として、給湯側回路２と風呂側回路３とを備える。給湯側回路２は、入水管１２、出湯管１０、ガスバーナ４（給湯側バーナ）、熱交換器６（給湯側熱交換器）などを備え、外部から供給された水道水を加熱し出湯させる経路として機能する。風呂側回路３は、ガスバーナ５４（風呂側バーナ）、熱交換器５６（風呂側熱交換器）、配管６６、循環ポンプ６２、サーミスタ６４，６５などを備え、自動湯張りの際の循環加熱、風呂の追い炊き等に利用される。
【００１４】
給湯側回路２では、入水管１２、伝熱管８ａ、配管２０、伝熱管７ａ、出湯管１０によって構成される管路が給湯側通水路として機能する。入水管１２は、水入口１６からの水が流れ込む経路として構成され、出湯管１０は、出湯口１８へ湯を送り出す経路として構成される。ガスバーナ４は、給湯側バーナの一例に相当し、燃焼ガスを燃焼させて燃焼排気を発生させる部分である。熱交換器６は、給湯側熱交換器の一例に相当し、給湯側通水路（入水管１２、伝熱管８ａ、配管２０、伝熱管７ａ、出湯管１０によって構成される管路）を通る水にガスバーナ４で生じた熱を伝達して湯を沸かす部分であり、給湯側通水路の途中の位置に設けられ、給湯側通水路の内部を通る水に対してガスバーナ４での燃焼によって生じた熱を伝えるように機能する。熱交換器６は、一次熱交換器７及び二次熱交換器８を備え、一次熱交換器７は、給湯燃焼室９０内においてガスバーナ４の燃焼排気経路の上流側に配置され、二次熱交換器８は、給湯燃焼室９０内において燃焼排気経路の下流側に配置されている。
【００１５】
給湯側回路２において、二次熱交換器８の入口には、水道水を供給する構成で入水管１２が接続されている。入水管１２には、入水管１２を通る水の温度（即ち、通水管における熱交換器よりも上流側の位置の水温）を検出する水温検出部としてのサーミスタ２５と、入水管１２内の通水量（即ち、通水管を流れる水の量）を検出する水量検出部としての水量センサ３４とが設けられている。入水管１２の下流側には、二次熱交換器８の伝熱管８ａが接続され、更にその下流側には、二次熱交換器８の伝熱管８ａと一次熱交換器７の伝熱管７ａとを連結する配管２０が接続される。この配管２０に連結された構成で一次熱交換器７の伝熱管７ａが接続され、一次熱交換器７の出口には、一次熱交換器７で加熱された湯を出湯する構成で出湯管１０が接続されている。出湯管１０には、出湯管１０内の水の温度を検出するサーミスタ２６が設けられている。本構成では、入水管１２、伝熱管８ａ、配管２０、伝熱管７ａ、出湯管１０が通水管の一例に相当し、給湯システム１の外部に設けられた図示しない水道から導入された水を通す流路として機能する。
【００１６】
熱交換器６は、一次熱交換器７によって燃焼排気の顕熱を回収した後、二次熱交換器８によって潜熱を回収するように機能する。具体的には、一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。また、二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００１７】
入水管１２と出湯管１０との間をバイパスする通水経路として、熱交換器６とは異なる通水経路として構成されたバイパス路１４が設けられている。バイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。通水量制御弁３３は、コントローラ２２からの指示を受けて駆動軸の回転角度が制御されるモータを備え、入水管１２を閉塞状態と全開状態との間で様々な開度に連続的に変更できる構成となっている。本構成では、通水量制御弁３３が、通水管を流れる水の量を調節するように機能する。
【００１８】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。また、給湯燃焼室９０の下方には、燃焼用空気を各ガスバーナ４（給湯バーナ）及びガスバーナ５４（風呂バーナ）へ供給するファン４８が設けられている。ガスバーナ５４（風呂バーナ）に接続されるガス管からの分岐管には、切替電磁弁５３が設けられている。給湯ガス比例制御弁４４、給湯切替電磁弁４６は、ガスバーナ４へのガス量を調整するように機能する。
【００１９】
風呂側回路３において、配管６６は、浴槽６０側からの水を熱交換器５６側へと導くための往き配管６７と、熱交換器５６側からの水を浴槽６０側へと導くための戻り配管６８と、往き配管６７と戻り配管６８とに連結されて熱交換器５６内を通る中間配管６９とを備える。配管６６は、循環路の一例に相当し、一端側及び他端側が浴槽６０内に連通するとともに浴槽６０から出た水を通過させて浴槽６０内に戻す経路として構成される。この配管６６は、例えば追い炊き動作時や沸かしあげ動作時に浴槽６０から引き込まれる水を往き配管６７によって熱交換器５６に導き、この熱交換器５６を通過した水を戻り配管６８によって浴槽６０に導くように循環させる経路となっている。熱交換器５６は、風呂側熱交換器の一例に相当し、風呂一次熱交換器５７と風呂二次熱交換器５８とを備え、配管６６（循環路）を通る水にガスバーナ５４（風呂側バーナ）で生じた熱を伝達するように機能する。
【００２０】
往き配管６７は、浴槽６０と風呂二次熱交換器５８との間に配置されており、この往き配管６７には、循環ポンプ６２と往き配管６７を通る水の温度を検出するサーミスタ６４（風呂サーミスタ）が設けられている。サーミスタ６４は、浴槽水温検出部の一例に相当し、浴槽６０から排出される水の水温（即ち、浴槽６０内の水温）を検出するように機能する。循環ポンプ６２は、配管６６内の水を流動させる装置であり、浴槽６０側から水を引き込み、引き込んだ水を熱交換器５６側に向けて排出するように機能する。
【００２１】
戻り配管６８は、風呂一次熱交換器５７と浴槽６０との間に配置される。戻り配管６８には、出湯管１０から分岐された落とし込み管７０が接続され、落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。水量センサ７４は、落とし込み管７０を介して浴槽６０へと供給される供給水量を検出する機能を有する。
【００２２】
落とし込み管７０は、連通路の一例に相当し、給湯側回路２の給湯側通水路から風呂側回路３の配管６６（循環路）へと湯を通す経路となっている。具体的には、落とし込み管７０は、出湯管１０より分岐するとともに往き配管６７に連通し、給湯側通水路を通って熱交換器６で加熱された水を浴槽６０に導くように機能する。
【００２３】
給湯システム１には、図１、図２で示すコントローラ２２が設けられる。図２で示すコントローラ２２は、例えば、公知のマイクロコンピュータ等として構成される制御部２２Ａと、公知の半導体メモリ等として構成されるメモリ２２Ｂと、外部との通信を行うためのインタフェースとして構成される通信部２２Ｃとを備える。コントローラ２２は、上述した水量調整部及びガス量調整部を制御する制御部として機能する装置であり、給湯側回路２や風呂側回路３に設けられた様々なセンサからの信号を取得可能に構成され、給湯側回路２や風呂側回路３に設けられた様々なアクチュエータを制御し得る。
【００２４】
図２のように、複数のリモートコントローラ８０は、コントローラ２２（制御部）と通信し得る構成で配置される。図１、図２の例では、複数のリモートコントローラ８０として、浴室内に設けられる第１リモートコントローラ８１と、浴室とは異なる場所（例えば台所等）に設けられる第２リモートコントローラ８２とが設けられる。
【００２５】
図２のように、第１リモートコントローラ８１は、公知のマイクロコンピュータ等として構成される制御部８１Ａと、液晶表示装置等として構成される表示部８１Ｂと、押圧ボタン等の公知のスイッチが複数設けられてなる操作部８１Ｃと、コントローラ２２や第２リモートコントローラ８２と通信を行う通信部８１Ｄと、音声を出力するスピーカなどからなる音声出力部８１Ｅとを備える。操作部８１Ｃは，少なくとも設定温度（給湯温度）を指示する入力操作と、所定の省エネルギーモードを指示する入力操作と、浴槽６０への自動湯張りを指示する入力操作とに用いられる複数の操作部によって構成されている。第１リモートコントローラ８１の外観は、例えば図３のようになっている。操作部８１Ｃは、操作ボタン９１Ｒ，９１Ｓ，９１Ｔ，９１Ｘ，９１Ｙ、メニューボタン９１Ｕ、確定ボタン９１Ｗ、エコボタン９１Ｚ、電源ボタン９１Ａなどを備える。
【００２６】
第２リモートコントローラ８２も同様であり、公知のマイクロコンピュータ等として構成される制御部８２Ａと、液晶表示装置等として構成される表示部８２Ｂと、押圧ボタン等の公知のスイッチが複数設けられてなる操作部８２Ｃと、リモートコントローラ８２で生成された信号等をコントローラ２２に伝達するための通信部８２Ｄと、音声を出力するスピーカなどからなる音声出力部８２Ｅとを備える。
【００２７】
第１リモートコントローラ８１では、操作部８１Ｃに対する操作によって運転モードと設定モードとが切り替わる。運転モードのときに、メニューボタン９１Ｕが押された場合には設定モードに切り替わり、設定モードのときに第１の所定操作（例えばメニューボタン９１Ｕを所定の第１回数押す操作）が行われた場合に、設定モードにおける所定の詳細モード（給湯温度切替設定モード）に切り替わる。給湯温度切替設定モードのときに、操作ボタン９１Ｘ，９１Ｙによって設定温度（給湯温度）を指示する入力操作が行われると、その入力操作に対応する温度が給湯温度表示領域１２０に表示され、その状態で確定ボタン９１Ｗが押されると、その表示された温度に給湯温度が設定される。そして、メモリ２２Ｂ（図２）には、その設定された設定温度（給湯温度）の情報が記憶される。
【００２８】
設定モードのときに第２の所定操作（例えばメニューボタン９１Ｕを所定の第２回数押す操作）が行われた場合に、設定モードにおける所定の詳細モード（ふろ温度切替設定モード）に切り替わる。ふろ温度切替設定モードのときに、操作ボタン９１Ｓ，９１Ｔによってふろ温度を指示する入力操作が行われると、その入力操作に対応する温度がふろ温度表示領域１２２に表示され、その状態で確定ボタン９１Ｗが押されると、その表示された温度にふろ温度Ｔｂが設定される。そして、メモリ２２Ｂ（図２）には、その設定されたふろ温度Ｔｂの情報が記憶される。
【００２９】
第２リモートコントローラ８２は第１リモートコントローラ８１と同様の構成、或いは簡略化された構成をなし、第１リモートコントローラ８１と同様の設定が可能である。両リモートコントローラ８０において、一方で設定された内容は、相互に反映される。
【００３０】
（自動湯張り制御）
コントローラ２２は、例えば図４のような流れで自動湯張り制御を行う。コントローラ２２は、電源投入後に図４の自動湯張り制御を実行し、湯張り指示があったか否かを判断する。例えば、第１リモートコントローラ８１の操作部に対し自動湯張りを指示する入力操作（例えば、図３で示す自動湯張りボタン９１Ｒを押す操作）がなされた場合、Ｓ１にてＹｅｓに進む。自動湯張りを指示する入力操作がなされるまでは待機状態となり、Ｓ１でＮｏの判断が繰り返される。
【００３１】
Ｓ１でＹｅｓに進む場合、コントローラ２２は、浴槽６０内の残水量を検出する（Ｓ２）。本構成では、図１のように、浴槽６０内の水量を検出する水量センサ６１が設けられ、Ｓ２ではこの水量センサ６１から出力される検出値を取得し、浴槽６０内の残水量Ｖｘを把握する。水量センサ６１は、残水量検出部の一例に相当する。
【００３２】
Ｓ２で残水量Ｖｘを検出した後には、給湯側回路２から浴槽６０に供給する供給水量Ｖａを算出する（Ｓ３）。Ｓ３では、予め設定された設定水量Ｖｂ（浴槽６０内の最終的な目標水量）からＳ２で検出された残水量Ｖｘを差し引いた値（Ｖｂ−Ｖｘ）を供給水量Ｖａとする。なお、Ｓ２で検出された残水量Ｖｘが０であった場合、供給水量Ｖａは、設定水量Ｖｂとなる。浴槽６０内に収容するべき目標水量である「設定水量」は、「所定量」の一例に相当し、例えば操作部８１Ｃに対する設定操作によって予め設定された湯量であり、コントローラ２２のメモリ２２Ｂに記憶されている。
【００３３】
Ｓ３の後には、落とし込み管７０（連通管）を通じて浴槽６０へと設定された給湯温度Ｔａの湯を供給水量Ｖａだけ落とし込む給湯動作を行う。給湯温度Ｔａは、例えば操作部８１Ｃに対する設定操作によって予め設定された温度であり、コントローラ２２のメモリ２２Ｂに記憶されている。具体的には、Ｓ３の後、給湯側回路２から落とし込み管７０を介して給湯温度Ｔａの湯を配管６６へと供給する給湯動作を行う（Ｓ４）。そして、浴槽６０内の湯が設定水量（所定量）に到達していない場合（即ち、給湯側回路２からの湯量が供給水量Ｖａに到達していない場合）にはＳ５でＮｏの判断が繰り返され、Ｓ４の給湯動作を継続する。Ｓ３の後、浴槽６０内の湯が設定水量（所定量）に到達した場合（即ち、給湯側回路２からの湯量が供給水量Ｖａに到達した場合）にはＳ５にてＹｅｓに進む。
【００３４】
具体的には、自動湯張りを指示する入力操作（例えば、図３で示す自動湯張りボタン９１Ｒを押す操作）がなされた後、コントローラ２２は、落とし込み管７０に設けられた給湯用電磁弁７２を開弁させてから、落とし込み水量センサ７４での検出水量が上記「供給水量Ｖａ」に達するまで、落とし込み管７０（連通管）を通じて浴槽６０へと設定された給湯温度Ｔａの湯を供給する自動落とし込み制御を実行する。そして、落とし込み水量センサ７４での検出水量が上記「供給水量Ｖａ」に達した場合には、Ｓ５にてＹｅｓに進み、Ｓ６の処理では、給湯用電磁弁７２を閉弁させ、給湯側回路２から風呂側回路３への給湯動作を停止させる。そして、コントローラ２２は、リモートコントローラ８１，８２に第１の報知を指示する第１報知指示を出力する。リモートコントローラ８１は、コントローラ２２から第１報知指示を受信した場合、音声出力部８１Ｅに第１の報知を行わせる。第１の報知は、例えば、「もうすぐ湯張りが完了します」などの、湯張り完了の時期の到来を知らせる音声メッセージを発する音声報知である。同様に、リモートコントローラ８２は、コントローラ２２から第１報知指示を受信した場合、音声出力部８２Ｅに第１の報知を行わせる。この第１の報知も、例えば、「もうすぐ湯張りが完了します」などの、湯張り完了の時期の到来を知らせる音声メッセージを発する音声報知である。なお、第１の報知は、例えば、リモートコントローラ８０の表示部に湯張り完了の時期の到来を知らせるメッセージを表示する報知などであってもよく、ブザー音や特定のランプ表示などであってもよい。
【００３５】
このように、本構成では、コントローラ２２が湯張り制御部の一例に相当し、リモートコントローラ８０との通信と、給湯側回路２及び風呂側回路３に対する制御とを少なくとも行う構成をなし、リモートコントローラ８０の操作部（操作部８１Ｃ又は操作部８２Ｃ）によって湯張り指示が入力された場合に、浴槽６０内に所定量の湯が貯まるように給湯側回路２を動作させる。具体的には、湯張り指示が入力された場合において水量センサ６１（残水量検出部）によって浴槽６０内の残水量Ｖｘが検出された場合、水量センサ６１で検出された浴槽６０内の残水量Ｖｘと所定量（設定水量Ｖｂ）とに基づいて不足湯量（供給水量Ｖａ）を算出し、且つ不足湯量の湯を給湯側回路２から浴槽６０へと供給するように給湯側回路２を動作させる。
【００３６】
Ｓ６の処理の後には、循環加熱動作を行う（Ｓ７）。具体的には、循環ポンプ６２を動作させ、浴槽６０から引き込まれる湯を往き配管６７によって熱交換器５６に導き、この熱交換器５６を通過した水を戻り配管６８によって浴槽６０に導くように循環させる。このように循環ポンプ６２を動作させて湯を循環させている最中には、ガスバーナ５４（風呂側バーナ）によって燃焼ガスを燃焼させて燃焼排気を発生させ、熱交換器５６（風呂側熱交換器）により配管６６の内部を通る水に対してガスバーナ５４での燃焼によって生じた熱を伝えるように加熱する。このような循環加熱を開始した後には、サーミスタ６４（浴槽水温検出部）で検出される温度（浴槽６０の温度）が設定温度（予め設定されたふろ温度Ｔｂ）に到達したか否かを判断し、到達していない場合には、Ｓ８でのＮｏの判断を繰り返し、Ｓ７で開始した循環加熱動作を継続する。なお、設定温度（ふろ温度Ｔｂ）は、給湯側回路２の給湯温度Ｔａと同一であってもよく、異なっていてもよい。
【００３７】
Ｓ７で循環加熱動作を開始した後、サーミスタ６４（浴槽水温検出部）で検出される温度（浴槽６０の温度）が設定温度（ふろ温度Ｔｂ）に到達した場合には、Ｓ８でＹｅｓ
に進み、循環加熱動作を停止し、第２の報知を行う。Ｓ９の処理では、コントローラ２２は、循環ポンプ６２の動作を停止させるとともに、ガスバーナ５４の燃焼を停止させ、切替電磁弁５３を閉弁させる。そして、コントローラ２２は、リモートコントローラ８１，８２に第２の報知を指示する第２報知指示を出力する。リモートコントローラ８１は、コントローラ２２から第２報知指示を受信した場合、音声出力部８１Ｅに第２の報知を行わせる。第２の報知は、例えば、「湯張りが完了しました」などの、湯張り完了を知らせる音声メッセージを発する音声報知である。同様に、リモートコントローラ８２は、コントローラ２２から第２報知指示を受信した場合、音声出力部８２Ｅに第２の報知を行わせる。この第２の報知も、例えば、「湯張りが完了しました」などの音声メッセージを発する音声報知である。なお、第２の報知は、例えば、リモートコントローラ８０の表示部に湯張り完了を知らせるメッセージを表示する報知などであってもよく、ブザー音や特定のランプ表示などであってもよい。Ｓ９の処理が終わると、図４の自動湯張り制御は終了する。
【００３８】
本構成では、制御部２２Ａ，８１Ａ，８２Ａが報知制御部に相当し、設定温度（ふろ温度Ｔｂ）未満の湯が浴槽６０内に所定量（設定水量Ｖｂ）貯まった場合にリモートコントローラ８０の音声出力部に第１の報知を行わせ、浴槽６０内の水温が設定温度（ふろ温度Ｔｂ）となった場合に音声出力部に第２の報知を行わせるように機能する。
【００３９】
以下、本構成の効果を例示する。
本構成では、報知制御部は、設定温度（ふろ温度Ｔｂ）未満の湯が浴槽６０内に所定量貯まった場合にリモートコントローラ８０の音声出力部に第１の報知を行わせ、浴槽６０内の水温が設定温度（ふろ温度Ｔｂ）となった場合に音声出力部に第２の報知を行わせる。この構成によれば、第１の報知により、設定温度（ふろ温度Ｔｂ）未満の湯が浴槽６０内に所定量貯まったことを使用者に正確に認識させることができ、使用者は、この第１の報知により、湯張りが最終段階（所定量の湯が貯まり、設定温度（ふろ温度Ｔｂ）まで沸かし上げている段階）にあることを正確に把握することができる。その後、浴槽６０内の水温が設定温度（ふろ温度Ｔｂ）となったときには第２の報知がなされるため、使用者は、湯張りの完了についても正確に把握することができる。特に、第１の報知と第２の報知との間の時間間隔は、所定量（設定水量）の湯が循環加熱によって設定温度に到達するまでの時間間隔であるため、先になされた報知から、後になされる報知までの時間間隔が大きくばらつきにくく、湯張りの進行状況をより正確に伝えることが可能な風呂給湯システムとなる。
【００４０】
本構成では、第１の報知が、湯張り完了の時期の到来を知らせる音声報知であり、第２の報知が、湯張りが完了したことを知らせる音声報知となっている。このように、湯張りの完了時期の到来を知らせる音声報知によって第１の報知を行えば、使用者がリモートコントローラ８０から離れた距離にいる場合であっても、湯張りの完了時期が到来すること（湯張りが最終段階にあること）を、音声によってより正確に且つより確実に認識しやすくなる。そして、湯張りが完了についても、音声によって確実に認識することができる。特に、浴槽内に所定量貯まった状態（湯張り完了時期に近づいた状態）と、その後に設定温度まで到達した状態（湯張り完了状態）とを、使用者が誤認識しにくくなり、使用者に湯張りの進行状況をより一層正確に伝えることが可能となる。
【００４１】
本構成の風呂給湯システム１は、浴槽６０内の残水量を検出する水量センサ６１（残水量検出部）を備えており、湯張り制御部に相当するコントローラ２２は、リモートコントローラ８０の操作部によって湯張り指示が入力された場合において水量センサ６１（残水量検出部）によって浴槽６０内の残水が検出された場合、水量センサ６１（残水量検出部）で検出された浴槽６０内の残水量Ｖｘと所定量（設定水量Ｖｂ）とに基づいて不足湯量（供給水量Ｖａ）を算出し、且つ不足湯量の湯を給湯側回路２から浴槽６０へと供給するように給湯側回路２を動作させる。そして、浴槽６０内に不足湯量（供給水量Ｖａ）の湯が補充された後に浴槽６０内の湯を循環路で循環させつつ風呂側熱交換器によって加熱するように風呂側回路３を動作させる。そして、報知制御部に相当する制御部２２Ａ，８１Ａ，８２Ａは、浴槽６０内に不足湯量（供給水量Ｖａ）の湯が補充された場合に第１の報知を行う構成となっている。
【００４２】
このように、水量センサ６１（残水量検出部）によって浴槽６０内の残水量を検出し、検出された浴槽内の「残水量」と目標とする「所定量」とに基づいて不足湯量を算出した上で、不足湯量の湯を給湯側回路から浴槽へと供給するように給湯側回路２を動作させる構成とすれば、浴槽内に残水が存在する場合でも浴槽内に湯が所定量貯まったことをより正確に把握しやすくなる。つまり、浴槽内に残水が存在する場合であっても、浴槽内に所定量の湯が貯まった時期から大きくずれることなく第１の報知を正確に行うことができ、先になされる第１の報知から、後になされる第２の報知までの時間間隔が大きくばらつきにくくなる。
【００４３】
＜他の実施例＞
上述した実施例には、様々な変更を加えてもよく、様々な構成を付加してもよい。以下、他の実施例を簡単に説明する。
【００４４】
上述した実施例では、第１リモートコントローラ８１の操作部８１Ｃに対し自動湯張りを指示する入力操作を行う例を示したが、第２リモートコントローラ８２の操作部８２Ｃに対し自動湯張りを指示する入力操作が行われるようになっていてもよい。
【００４５】
上述した実施例では、浴槽６０内に所定量の湯が貯まってから循環加熱動作を行う例を示したが、浴槽６０内に所定量の湯が貯まる少し前から循環加熱動作を行うようにしてもよい。この場合、循環加熱動作が開始された後に、第１の報知がなされることになる。
【００４６】
１…風呂給湯システム
２…給湯側回路
３…風呂側回路
４…ガスバーナ（給湯側バーナ）
６…熱交換器（給湯側熱交換器）
７ａ，８ａ…伝熱管（給湯側通水路）
１０…出湯管（給湯側通水路）
１２…入水管（給湯側通水路）
２０…配管（給湯側通水路）
２２…コントローラ（湯張り制御部、報知制御部）
５４…ガスバーナ５４（風呂側バーナ）
５６…熱交換器（風呂側熱交換器）
６０…浴槽
６１…水量センサ（残水量検出部）
６４…サーミスタ（浴槽水温検出部）
６６…配管（循環路）
７０…落とし込み管（連通路）
８０…リモートコントローラ
８１Ａ，８２Ａ…制御部（報知制御部）
８１Ｃ，８２Ｄ…操作部
８１Ｅ，８２Ｅ…音声出力部
【図１】
0006684581.tif 000002
【図２】
0006684581.tif 000003
【図３】
0006684581.tif 000004
【図４】
0006684581.tif 000005